【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
位置報告サービスを端末に提供する方法であって、
該方法は、
ポジショニングセッションを開始させる要求メッセージを該端末から受信することと、
該要求メッセージが受信された後に、位置測定手順を実行することにより、該端末の位置を算出することと、
該端末の位置が算出された後に、該端末の選好情報を取得することと、
該端末の該取得された選好情報に従って、該端末の該算出された位置の代わりに代表位置を該端末に報告することと
を包含する、方法。
【請求項２】
前記要求メッセージは、ＳＵＰＬ  ＳＴＡＲＴメッセージである、請求項１に記載の方法。
【請求項３】
前記要求メッセージは、セッションＩＤと、ＳＥＴ性能と、位置識別子（ｌｉｄ）と、報告基準とのうちの少なくとも１つを含む、請求項１に記載の方法。
【請求項４】
前記ＳＥＴ性能は、サポートされる位置測定方法と、該位置測定方法に関連する位置測定プロトコルとを含む、請求項３に記載の方法。
【請求項５】
前記端末の位置は、該端末と位置サーバーとの間でセッションポジショニングメッセージを交換することによって、算出される、請求項１に記載の方法。
【請求項６】
前記セッションポジショニングメッセージは、複数回繰り返し交換される、請求項５に記載の方法。
【請求項７】
前記端末の位置は、該端末と数個の連続するポジショニング手順メッセージを交換することによって、算出される、請求項１に記載の方法。
【請求項８】
前記取得するステップは、前記選好情報が格納されているネットワークエンティティにアクセスすることを包含する、請求項１に記載の方法。
【請求項９】
前記端末の選好情報は、位置プライバシー表明要求メッセージをプライバシー確認エンティティ（ＰＣＥ）に伝送することと、位置プライバシー表明応答メッセージを該ＰＣＥから受信することとによって、取得される、請求項１に記載の方法。
【請求項１０】
前記選好情報は、前記位置プライバシー表明応答メッセージに含まれる、請求項１に記載の方法。
【請求項１１】
前記代表位置は、１つ以上のユーザ選好領域を表す、請求項１に記載の方法。
【請求項１２】
前記端末の前記算出された位置が、該端末の前記選好情報を反映する前記１つ以上のユーザ選好領域とオーバーラップする場合に、前記代表位置が該端末に報告される、請求項１に記載の方法。
【請求項１３】
前記代表位置は、前記ポジショニングセッションの完了または前記位置測定手順の終了を示すポジショニング終了メッセージであって、前記端末に伝送されるポジショニング終了メッセージに含まれる、請求項１に記載の方法。
【請求項１４】
ステップは、ＳＵＰＬ（Ｓｅｃｕｒｅ  Ｕｓｅｒ  Ｐｌａｎｅ  Ｌｏｃａｔｉｏｎ）ネットワークであって、ＳＵＰＬエージェントと、ＳＬＰ（ＳＵＰＬ  Ｌｏｃａｔｉｏｎ  Ｐｌａｔｆｏｒｍ）と、ＳＥＴ（ＳＵＰＬ  Ｅｎａｂｌｅｄ  Ｔｅｒｍｉｎａｌ）とを備えるＳＵＰＬネットワークに対して実行される、請求項１に記載の方法。
【請求項１５】
位置報告サービスを提供する方法であって、
該方法は、
ポジショニングセッションを開始させる要求メッセージを位置サーバーに伝送することと、
端末の位置が算出されるように、該位置サーバーに関連した位置測定手順を実行することと、
該端末の選好情報に基づいて、該端末の該算出された位置の代わりに代表位置を該位置サーバーから受信することと
を包含する、方法。
【請求項１６】
前記代表位置は、１つ以上のユーザ選好領域を表し、該ユーザ選考領域の各々は、ユーザによって指定された物理領域である、請求項１５に記載の方法。
【請求項１７】
前記要求メッセージは、セッションＩＤと、ＳＥＴ性能と、位置識別子（ｌｉｄ）と、報告基準とのうちの少なくとも１つを含むＳＵＰＬ  ＳＴＡＲＴメッセージである、請求項１５に記載の方法。
【請求項１８】
前記端末の位置は、該端末と前記位置サーバーとの間でセッションポジショニングメッセージを複数回繰り返し交換することによって、算出される、請求項１５に記載の方法。
【請求項１９】
前記端末の前記算出された位置が、該端末の前記選好情報を反映する前記１つ以上のユーザ選好領域とオーバーラップする場合に、前記代表位置が受信される、請求項１５に記載の方法。
【請求項２０】
前記代表位置は、前記ポジショニングセッションの完了または前記位置測定手順の終了を示すポジショニング終了メッセージであって、前記位置サーバーから受信されるポジショニング終了メッセージに含まれる、請求項１５に記載の方法。
【請求項２１】
ステップは、ＳＵＰＬ（Ｓｅｃｕｒｅ  Ｕｓｅｒ  Ｐｌａｎｅ  Ｌｏｃａｔｉｏｎ）ネットワークであって、ＳＵＰＬエージェントと、ＳＬＰ（ＳＵＰＬ  Ｌｏｃａｔｉｏｎ  Ｐｌａｔｆｏｒｍ）と、ＳＥＴ（ＳＵＰＬ  Ｅｎａｂｌｅｄ  Ｔｅｒｍｉｎａｌ）とを備えるＳＵＰＬネットワークに対して実行される、請求項１５に記載の方法。
【請求項２２】
位置報告サービスを提供する方法であって、
該方法は、
ターゲット端末の位置情報に対する要求をエージェントから受信することと、
ポジショニングセッションを開始するためにセッション初期化メッセージを該ターゲット端末に伝送することと、
該セッション初期化メッセージが伝送された後に、ポジショニング初期化メッセージを該ターゲット端末から受信することと、
位置測定手順を実行することにより、該ターゲット端末の位置情報を算出することと、
該ターゲット端末の選好情報に従って、該ターゲット端末の該算出された位置情報の代わりに代表位置を該エージェントに報告することと
を包含する、方法。
【請求項２３】
前記要求は、ＭＬＳ  ＳＬＩＲ（Ｓｔａｎｄａｒｄ  Ｌｏｃａｔｉｏｎ  Ｉｍｍｅｄｉａｔｅ  Ｒｅｑｕｅｓｔ）メッセージを介して受信される、請求項２２に記載の方法。
【請求項２４】
前記ＭＬＰ  ＳＬＩＲメッセージは、ｍｓ−ｉｄと、ｃｌｉｅｎｔ−ｉｄと、ＯｏＳとのうちの少なくとも１つを含む、請求項２３に記載の方法。
【請求項２５】
前記セッション初期化メッセージは、ｓｅｓｓｉｏｎ−ｉｄと、位置サーバーアドレスと、前記ターゲット端末から必要とされる通知とのうちの少なくとも１つを含む、請求項２２に記載の方法。
【請求項２６】
前記伝送されたセッション初期化メッセージから取得された情報に従って前記ターゲット端末とのデータ接続の確立後に、前記ポジショニング初期化メッセージが受信される、請求項２２に記載の方法。
【請求項２７】
前記位置算出の完了後に、ポジショニング終了メッセージが前記ターゲット端末に伝送される、請求項２２に記載の方法。
【請求項２８】
前記算出された位置情報が、前記代表位置が報告されるべき領域とオーバーラップする場合に、前記報告することが実行される、請求項２２に記載の方法。
【請求項２９】
位置報告サービスを提供する方法であって、
該方法は、
ポジショニングセッションを開始させる要求メッセージを位置サーバーに伝送することと、
端末の位置が算出されるように、該位置サーバーに関連した位置測定手順を実行することと、
該位置測定手順が実行された後に、該端末の該算出された位置を該位置サーバーから受信することと、
該端末の該算出された位置と、該端末に格納された１つ以上の事前格納された選好領域とを比較することと、
該端末の該受信された位置が該事前格納された選好領域のうちの１つとオーバーラップまたはマッチする場合に、該端末の該算出された位置の代わりに代表位置を出力することと
を包含する、方法。